(57)【要約】【課題】指紋汚れ等の汚れを確実に目立たなくする。【解決手段】表面３ａに周期的に形成された凹凸４の凹部４ａ底面に外装面５が、凸部４ｂ頂面に外装保護面６がそれぞれ形成されている。凸部４ｂの高さは４１μｍ〜１００μｍであり、凸部４ｂの形成ピッチは、０．８ｍｍ〜１．４ｍｍである。【選択図】図３
2011178158.tif 000002
【特許請求の範囲】
【請求項１】
表面に凹凸が周期的に形成されており、
前記凹凸の凹部底面に外装面が、前記凹凸の凸部頂面に外装保護面がそれぞれ形成されており、
前記凸部の高さは４１μｍ〜１００μｍであり、
前記凸部の形成ピッチは、０．８ｍｍ〜１．４ｍｍである、
ことを特徴とする成形品。
【請求項２】
前記凸部の高さは、６０μｍ〜１００μｍである、
ことを特徴とする請求項１に記載の成形品。
【請求項３】
前記外装面は光沢面である、
ことを特徴とする請求項１または２に記載の成形品。
【請求項４】
前記外装保護面は非光沢面である、
ことを特徴とする請求項１ないし３のいずれかに記載の成形品。
【請求項５】
前記外装保護面は、凸状に湾曲している、
ことを特徴とする請求項１ないし４のいずれかに記載の成形品。
【請求項６】
前記外装面は、凹状に湾曲している、
ことを特徴とする請求項１ないし５のいずれかに記載の成形品。
【請求項７】
前記表面には、成形品操作に伴う面方向に沿った使用者の指先移動に異方性が存在し、
前記凸部は、前記面方向に沿いかつ前記指先移動が最も多い方向に略直交する方向に延びる条形状を有している、
ことを特徴とする請求項１ないし６のいずれかに記載の成形品。
【請求項８】
前記表面はシボ面である、
ことを特徴とする請求項１ないし７のいずれかに記載の成形品。
【請求項９】
前記外装面はシボ面である、
ことを特徴とする請求項１ないし７のいずれかに記載の成形品。
【発明の詳細な説明】
【技術分野】
【０００１】
本発明は、樹脂、金属、ガラス等からなる成形品に関する。
【背景技術】
【０００２】
樹脂、金属、ガラス等からなる成形品においては、使用中に成形品表面に附着する汚れが美観上の問題となる。そのような汚れの中で除去しにくい汚れの一つとして油性汚れがある。油性汚れには種々のものがあるが、その中でも使用者の皮脂成分を多く含む指紋等の汚れ（以下、指紋汚れと称す）は、指先を用いた通常使用において成形品表面に附着しやすいうえに、昨今各種成形品において多用されている光沢のある色（ピアノブラック等）を有する表面形状において顕著に目立つ。そのため、指紋汚れの対策を講じることが要望されている。
【０００３】
指紋汚れの対策として、従来から、特許文献１に開示されている技術がある。この技術では、
・成形品の表面に凹凸パターンを形成する、
・凹凸パターンは、光沢面と、当該光沢面より突出し当該光沢面に単位面積当たり所定の割合で均等に点在する非光沢面とを備える、
・非光沢面の突出高さを５〜４０μｍとする、
ことで、使用者の指先が接触する部位を、指紋汚れが目立ちにくい非光沢面に限定させて指紋汚れを目立ちにくくしている。
【先行技術文献】
【特許文献】
【０００４】
【特許文献１】特開２００９−１３４２７１号公報
【発明の概要】
【発明が解決しようとする課題】
【０００５】
しかしながら、特許文献１では、非光沢面の突出高さを５〜４０μｍと規定しているだけであるため、使用者の指先が成形品表面に接触することを確実に防止することができず、使用者の指先が使用中に光沢面に接してしまって、指紋汚れが生じることがある。
【０００６】
本発明は、このような実情に着目してなされたものであって、成形品において、使用者の皮脂成分を多く含む指紋等の汚れを目立たなくすることを主たる目的とする。
【課題を解決するための手段】
【０００７】
本発明の成形品は、
表面に凹凸が周期的に形成されており、
前記凹凸の凹部底面に外装面が、前記凹凸の凸部頂面に外装保護面がそれぞれ形成されており、
前記凸部の高さは４１μｍ〜１００μｍであり、
前記凸部の形成ピッチは、０．８ｍｍ〜１．４ｍｍである。
【０００８】
本発明では凸部頂面に外装保護面を設けているため、成形品使用者の指先はこの外装保護面に選択的に接するようになる。その結果、凹部底面の外装面に指先が触れることがなくなって外装面に指紋汚れ等が附着しにくくなる。
【０００９】
このようにして外装面保護を行う本発明においては、成形品使用者の指先が外装面に触れることを確実に防止することが重要となる。本発明では、そのために上述した数値限定を行っている。
【００１０】
本発明において上記数値限定を行った理由を説明する。以下、指先による外装面への接触を阻止可能な凸部の最大高さ寸法を、凸部最大高さ寸法という。凸部最大高さ寸法と凸部の形成ピッチとは一対一に対応し、一方が設定されればそれに伴い他方も決まる。
【００１１】
本発明の凸部最大高さ寸法の上限値は、成形品の美観上、凹凸が視認困難となる凸部高さの最大値として規定され、凸部最大高さ寸法がその上限値である１００μｍを上回ると、外部から凹凸がはっきりと視認されてしまい、美観上問題となる。このようにして凸部最大高さ寸法の上限値が規定されることで、これに伴って凸部の形成ピッチの上限値が規定される。すなわち、凸部最大高さ寸法の上限値が１００μｍと規定されることで、凸部の形成ピッチの上限値が１．４ｍｍと規定される。
【００１２】
また、凸部の形成ピッチの下限値は、外装面が外部からはっきりと視認可能となる形成ピッチの最小値として規定され、凸部の形成ピッチがその下限値である０．８ｍｍを下回ると、外装面が外装面として視認困難となってこれも美観上問題となる。このようにして凸部の形成ピッチの下限値が設定されることで、これに伴って凸部最大高さ寸法の下限値が規定される。すなわち、凸部の形成ピッチの下限値が０．８ｍｍと規定されることで、凸部最大高さ寸法の下限値が４１μｍと規定される。
【００１３】
以上のようにして、凸部の高さと凸部の形成ピッチとを規定することで、本発明では、成形品の美観を損なうことなく確実に外装面の保護（指紋汚れ附着防止）を行うことができる。
【００１４】
なお、本発明における凹凸の周期性とは、次のものをいう。すなわち、凹と凸が交互に連続しかつ凸部の間隔（ピッチ）が一定である状態を、本発明では凹凸が周期的にある、と規定する。なお、凹凸は成形品の表面全面にあるのが最も好ましいが、表面の一部にあってもよい。
【００１５】
また、前記凸部の高さは、６０μｍ〜１００μｍであるのがさらに好ましく、そうすれば、成形品使用者の指先が外装面に触れることをさらに確実に防止することができる。
【００１６】
本発明には、前記外装面は光沢面である、という態様がある。光沢面は、皮脂を含む指紋汚れが附着すると、非常に目立つという特徴がある。そのため、外装面が光沢面である成形品において本発明を実施すれば非常に有効となる。
【００１７】
本発明には、前記外装保護面は非光沢面である、という態様がある。外装保護面は、外装面を指紋汚れ等から保護する点では有効であるが、外装保護面自体に指紋汚れ等が附着するとそれも美観上問題となる可能性がある。非光沢面は指紋汚れが附着しにくいうえに附着しても目立たないという特徴がある。そのため、外装保護面を非光沢面とすることで、本発明の効果（指紋汚れ等の対策）がさらに高まる。
【００１８】
本発明には、前記外装保護面は、凸状に湾曲している、という態様がある。上述したように外装保護面は、外装面を指紋汚れ等から保護する点では有効であるが、外装保護面自体に指紋汚れ等が附着するとそれも美観上問題となる可能性がある。この態様では、外装保護面を表面の外側に向けて湾曲させることで、外装保護面に使用者の指先が接触する面積を減少させた。これにより外装保護面に対する指紋汚れ等の附着を防止することも可能となる。
【００１９】
本発明には、前記外装面は、凹状に湾曲している、という態様がある。これにより、指先が外装面にさらに接触しにくくなって、本発明の効果（指紋汚れ等の対策）がさらに高まる。
【００２０】
本発明には、前記表面には、成形品操作に伴う面方向に沿った使用者の指先移動に異方性が存在し、
前記凸部は、前記面方向に沿いかつ前記指先移動が最も多い方向に略直交する方向に延びる条形状を有している、
という態様がある。条形状の凸部を備えた凹凸では、指先が凸部の長手方向に沿って移動すると凹部内に指先が入り込みやすくなり、その結果、外装面に指紋汚れ等が附着しやすくなる。反対に指先が凸部の長手方向と略直交する方向に沿って移動すると凹部内に指先が入り込みにくくなり、その結果、外装面に指紋汚れ等が附着しにくくなる。本発明が発明の対象とする成形品には、表面に、成形品操作に伴う面方向に沿った使用者の指先移動に異方性が存在するものがある。このようなものとして、家電品等の筐体がある。このような筐体では、使用者が一方向から成形品を扱う可能性が高いために、上述した表面での異方性が存在する。そのため、この態様は上述した成形体において非常に有効となる。
【００２１】
本発明には、前記表面はシボ面である、という態様がある。ここでいうシボ面とは、前記表面に形成する微少凹凸形状を示す。この微少凹凸形状は、本発明で形成する上記凹凸とは大きさが大きく異なるものであって、上記凹凸に比して極端に小さいものをいう。本態様では、シボ面を有する表面に、シボ面に比して大きな凹凸を形成することになるので、結果として表面に損傷が付きにくくなる。なお、損傷の発生箇所を最小限にするためには、外装保護面を凸状に湾曲させるのが最も好ましい。そうすれば、損傷の発生箇所は凸状に湾曲した外装保護面の頂部のみにさらに限定されることになる。
【００２２】
本発明には、前記外装面はシボ面である、という態様がある。ここでいうシボ面は、上述したものと同じである。本態様では、凹凸の凸部（外装保護面）によって外装面が保護されるため、指紋等と同様、外装面に損傷が付くことはほとんどなくなる。なお、損傷の発生箇所を最小限にするためには、外装保護面を凸状に湾曲させるのが最も好ましい。そうすれば、損傷の発生箇所は凸状に湾曲した外装保護面の頂部のみにさらに限定されることになる。
【００２３】
なお、本発明における成形品とは、樹脂成形品、金属成形品、ガラス成形品等を含む概念であって、具体的には、樹脂インジェクション成形品、ガラスインジェクション成形品、樹脂押し出し成形品、金属等のプレス成形品、金属ダイキャスト、エッチング等によって無垢材の表面を物理的に加工したものを含んでいる。
【発明の効果】
【００２４】
このように、本発明によれば、成形品において、使用者の皮脂成分を多く含む指紋等の汚れを確実に目立たなくすることが可能となる。
【図面の簡単な説明】
【００２５】
【図１】本発明の一実施形態であるパネル筐体を有する薄型テレビジョン表示装置の構成を示す正面図である。
【図２】実施の形態のパネル筐体の表面形状を示す要部拡大平面図である。
【図３】（ａ）は、図２のａ−ａ線断面図であり、（ｂ）は、図２のｂ−ｂ線断面図である。
【図４】実施の形態のパネル筐体の表面形状と指先とを示す要部拡大平面図である
【図５】抽出被験者が接触圧の平均値でもって、テスト片に指先接触した際における凸部最大高さ寸法の変化を各形成ピッチにわたって示すグラフである。
【図６】本発明の第１の変形例を示す要部拡大断面図である。
【図７】本発明の第２の変形例を示す要部拡大断面図である。
【図８】本発明の第３の変形例を示す要部拡大断面図である。
【図９】本発明の第４の変形例を示す要部拡大断面図である。
【図１０】本発明の第５の変形例を示す要部拡大断面図である。
【図１１】（ａ）は本発明の一実施形態である底面側パネル筐体を有するリモートコントローラ装置の構成を示す正面図であり、（ｂ）はその側面図である。
【図１２】（ａ）は本発明の一実施形態である底面側パネル筐体を有するコードレス電話機の構成を示す正面図であり、（ｂ）はその側面図である。
【発明を実施するための形態】
【００２６】
以下、図面を参照して本発明の実施形態を説明する。図１は本発明の成形品とであるパネル筐体３を備えた薄型テレビジョン表示装置１の平面図であり、図２はパネル筐体３の表面の部分拡大平面図であり、図３（ａ）は図２のａーａ線に沿ったパネル筐体３の要部拡大断面図であり、図３（ｂ）は図２のｂーｂ線に沿ったパネル筐体３の要部拡大断面図である。
【００２７】
図１に示すように薄型テレビジョン表示装置１は、プラズマ表示装置等からなる表示装置本体２を備え、この表示装置本体２をパネル筐体３に収納して構成される。
【００２８】
パネル筐体３は、樹脂成形品からなり、その表面３ａには、図２、図３（ａ）、図３（ｂ）に示すように、全面にわたって周期的に凹凸４が形成されている。凹凸４は、凹部４ａと凸部４ｂとが周期的に組み合わされて構成されており、凸部４ｂは、幅寸法Ｗと長さ寸法Ｌとを備える凸条４ｃが、表面３ａの面方向の一つである第１の方向αに沿って断続的に延びる形状を有している。凸条４ｃは、表面３ａの面方向において第１の方向αと直交する第２の方向βに沿って多数列にわたって配列されている。このような形状を有する凸部４ｂにおける形成ピッチは、凸条４ｃの延出方向（第１の方向α）に沿った形成ピッチＰ１と、凸条４ｃの配列方向（第２の方向β）に沿った形成ピッチＰ２とがある。凸部４ｂは、第１、第２の形成ピッチＰ１、Ｐ２で、表面３ａの面方向に沿って分散配置されている。
【００２９】
凹部４ａの底面と凸部４ｂの頂面とはそれぞれ平坦面となっており、凹部４ａの底面に外装面５が、凸部４ｂの頂面に外装保護面６がそれぞれ形成されている。以下、凸部４ｂの高さ寸法を高さ寸法ｈという。
【００３０】
外装面５は、ピアノブラック等の光沢面から構成されており、外装保護面６は、光沢面より光沢度が低い艶消し等の非光沢面から構成されている。なお、外装保護面６には、シボ加工（微細な凹凸加工）を施してもよい。光沢度はＪＩＳ等で規定される測定方法で容易に測定可能であり、ここではその詳細の説明を省略する。
【００３１】
このような構造を備えた凹凸４は、樹脂成型用金型の内面構造を加工することで容易にパネル筐体３に形成することができる。さらに凸部４ｂの高さ寸法ｈは１００μｍに設定されており、凸部４ｂの形成ピッチＰ１、Ｐ２は、０．８ｍｍ〜１．４ｍｍに設定されており、幅寸法Ｗは、０．２ｍｍに設定されており、長さ寸法Ｌは、２．５ｍｍに設定されている。
【００３２】
以上の構成を備えたパネル筐体３では、凸部４ｂの頂面に外装保護面６を設けているため、薄型テレビジョン表示装置１の使用者の指先は優先的に外装保護面６に接するようになる。その結果、図４に示すように、使用者の指先Ｆが凹部４ａ底面の外装面５に触れることがなくなって外装面５に指紋汚れが附着しにくくなる。なお、凹凸４は、本来指先Ｆに対して十分に微少であって図示が困難であるため、図４において凹凸４は強調して描いている。したがって、図４における凹凸４のアスペクト比は、実際の凹凸４におけるアスペクト比とは異なる。
【００３３】
このようにして外装面保護を行うパネル筐体３では、使用者の指先Ｆが外装面５に触れることを確実に防止することが重要となる。本実施の形態では、そのために上述した数値限定を行っている。これにより、パネル筐体３の美観を損ねることなく、凹部４ａ底面の外装面５に指先が触れることを無くして外装面５における指紋汚れの附着を確実に防止している。
【００３４】
本発明において上記数値限定を行った理由を測定データに基づいて説明する。薄型テレビジョン表示装置１の通常操作を想定した接触を感圧試験器（図示省略）に対して複数の被験者で実施してもらい、これにより、接触した指先Ｆを通じて感圧試験器に負荷される接触加圧力（以下、単に接触圧という）のバラツキを測定した。その結果、接触圧のバラツキは４０〜３００ｇであって、最大接触圧が３００ｇであることが判明した。
【００３５】
次に、複数の被験者の中から指先Ｆの柔軟性が最も高い被験者（以下、抽出被験者という）を選び出した。抽出被験者の選出は以下のようにして実施した。すなわち、平面上に任意の大きさの窪みを形成したうえで、各被験者に一定の接触圧でもって指先Ｆを前記窪みに押し付けて貰い、その際における窪み上面から窪み内部に突出する指先肉部の突出量を測定し、測定値が最大となる被験者を抽出被験者と認定した。
【００３６】
上述したようにして最大接触圧と抽出被験者とを選定することで、外装面５に指紋汚れが附着する可能性が最も高い状態を、以下のように想定した。すなわち、抽出被験者が最大接触圧（３００ｇ）でもってパネル筐体３に接触する状態を、外装面５に指紋汚れが附着する可能性が最も高い状態である、と想定した。
【００３７】
次に、凹凸４の形状が相違するパネル筐体３のテスト片１1、１2、…１nを各種作製した。これらテスト片Ａ1〜Ａnでは、高さ寸法ｈと形成ピッチＰ１、Ｐ２とがそれぞれ順次変更されている。そのうえて抽出被験者に、最大接触圧（３００ｇ）でもって、テスト片Ａ1〜Ａnに接触してもらい、その際に、凹部４ａの底面（外装面５）に指先が接触するか否かを観察したうえで、その観察結果を数式化した。その式を次の（１）式に示す。
Ｙ ＝ ２８．７ × Ｘ1.2 × sin４．３（Ｘ−１） ＋ ５７．８ …（１）
（１）式は、以下のことを数式化している。すなわち、抽出被験者が最大接触圧（３００ｇ）でもって、テスト片Ａ1〜Ａnに指先接触した際に各形成ピッチＰ１、Ｐ２における凸部最大高さ寸法ｈmaxの変化を数式化したものが（１）式であって、Ｘは形成ピッチＰ１、Ｐ２を、Ｙは凸部最大高さ寸法ｈmaxをそれぞれ示す。ここでいう凸部最大高さ寸法ｈmaxとは、使用者の指先Ｆによる外装面５への接触を阻止可能な凸部高さ寸法ｈの最大値のことをいう。
【００３８】
次に、凸部高さ寸法ｈの上限値と形成ピッチＰ１、Ｐ２の下限値とを、以下のようにして設定した。なお、ここでいう凸部高さ寸法ｈの上限値とは、上述した凸部最大高さ寸法ｈmaxとは異なる次の条件に基づいて設定されるもう一つの閾値のことである。すなわち、外装面５を美観上好ましく視認するうえで、凸部４ｂは本来的に不要なものであって、凸部４ｂはなるべく目立たなくするのが好ましい。この点から見ると、凸部高さ寸法ｈが１００μｍを上回ると、通常の視力を有する使用者が凸部４ｂを視認してしまい、美観上問題となる。このような観点に基づいて、凸部高さ寸法ｈの上限値は１００μｍであると判断した。
【００３９】
一方、形成ピッチＰ１、Ｐ２が０．８ｍｍを下回ると、凸部４ｂの間隔が極端に狭まる結果、パネル筐体３の上方からみて、凹部底面（外装面５）が凸部４ｂによって隠れてしまって通常の視力を有する使用者が外装面５を視認しにくくなり、これも美観上問題となる。このような観点に基づいて、形成ピッチＰ１、Ｐ２の下限値は０．８ｍｍであると判断した。
【００４０】
なお、参考までに、テスト片Ａ1〜Ａnに指先接触した際の各形成ピッチＰ１、Ｐ２における凸部最大高さ寸法ｈmaxの変化を観察した結果を図５のグラフに示す。ただし、図５は、抽出被験者が接触圧の平均値でもってテスト片Ａ1〜Ａnに指先接触した際のデータであって、上述した最大接触圧でもってテスト片Ａ1〜Ａnに指先接触した際のデータではない。図５における横軸は、形成ピッチＰ１、Ｐ２（ｍｍ）であり、縦軸は、凸部４ｂの高さ寸法ｈ（凹部４ａの深さ寸法：μｍ）である。
【００４１】
以上説明した判断理由に基づいて、凸部高さ寸法ｈの上限値を１００μｍに設定し、形成ピッチＰ１、Ｐ２の下限値を０．８ｍｍに設定した。このようにして設定した凸部高さ寸法ｈの上限値と形成ピッチＰ１、Ｐ２の下限値とを、上述した（１）式（凸部最大高さ寸法ｈmaxの変化）に代入すると、凸部高さ寸法ｈの上限値（１００μｍ）を満たす形成ピッチＰ１、Ｐ２は、１．４ｍｍとなり、形成ピッチＰ１、Ｐ２の下限値（０．８ｍｍ）を満たす凸部最大高さ寸法ｈは４１μｍとなる。
【００４２】
以上のことから、凸部４ｂの高さ寸法ｈは、４１μｍ〜１００μｍに設定され（４１μｍ≦ｈ≦１００μｍ）、凸部４ｂの形成ピッチＰ１、Ｐ２は０．８ｍｍ〜１．４ｍｍに設定される（０．８ｍｍ≦Ｐ１、Ｐ２≦１．４ｍｍ）。なお、凸部４ｂの高さ寸法ｈは、６０μｍ〜１００μｍに設定されるのがさらに好ましい。そうすれば、成形品使用者の指先が外装面に触れることをさらに確実に防止することができる。
【００４３】
以上のようにして、凸部４ｂの高さ寸法ｈと形成ピッチＰ１、Ｐ２とを規定することで、本実施の形態では、パネル筐体３の美観を損なうことなく確実に外装面５の保護（指紋汚れ附着防止）を行うことができる。
【００４４】
なお、上述した実施の形態では、凸部４ｂの頂面（外装保護面）６は、平坦面になっていたが、図６に示すように、凸状に湾曲した凸部頂面（外装保護面）６’を備えてもよい。そうすれば、凸部頂面（外装保護面）６’に接触する指先面積が減少して、凸部頂面（外装保護面）６’に指紋汚れ等がさらに附着しにくくなる。その結果、パネル筐体３全体として、指紋汚れの附着がさらに減少して美観上好ましい。
【００４５】
さらには、上述した実施の形態では、凹部４ａの底面（外装面５）は、平坦面になっていたが、図７に示すように、凹状に湾曲する凹部底面（外装面）５’を備えてもよい。そうすれば、外装面５’に指先がさらに接触しにくくなって、外装面５’における指紋汚れ等の附着がさらに減少して、美観上さらに好ましい。
【００４６】
さらには、図８に示すように、上述した凸部頂面（外装保護面）６’と凹部底面（外装面）５’との両方を備えてもよい。そうすれば、図６、図７に示す変形例の効果を両方とも享受することが可能となる。
【００４７】
さらには、本発明には次のような変形例がある。薄型テレビジョン表示装置１では、パネル筐体３の表面３ａの面方向に沿った使用者の指先移動に、異方性が存在する。具体的には、設置場所において垂直配置される薄型テレビジョン表示装置１では、使用者が装置１を操作する際に表面３ａで生じる指先移動は、垂直方向に沿ったものが大半を占め、水平方向に沿ったものは極端に少ない。指先移動にこのような異方性が存在するパネル筐体３では、図２に示す第１の方向αを水平方向にし、第２の方向βを垂直方向にする。これにより、さらに指紋汚れの附着を防止することができる。以下、説明する。
【００４８】
条形状の凸部４ｂを備えた凹凸４では、指先が凸部４ｂの条長手方向（第１の方向α）に沿って移動すると、指先が連続的に凹部４ａに入り込むことになる結果、外装面５に指紋汚れ等が附着しやすくなる。反対に指先が凸部４ｂの長手方向（第１の方向α）と略直交する方向（第２の方向β）に沿って移動すると、指先が断続的に凹部４ａに入り込むことになる結果、外装面５に指紋汚れ等が附着しにくくなる。
【００４９】
指先移動に上述した異方性を有するパネル筐体３では、第１の方向αを水平方向にし、第２の方向βを垂直方向にすることで、使用者の指先がさらに外装面５に接触しにくくなって、指紋汚れの附着防止効果が高まる。
【００５０】
次に、シボ面からなる表面３０ａを有するパネル筐体３０において本発明を実施した変形例を図９を参照して説明する。ここでいうシボ面は、表面３０ａに形成する微少凹凸形状１０を有する表面形状をいう。微少凹凸形状１０は、凹凸４とは大きさが大きく異なるものであって、凹凸４に比して極端に小さいものをいう。具体的には、微少凹凸形状１０における凸部の高さは１μｍ〜５９μｍであり、凸部の形成ピッチは、１μｍ〜５９μｍである。このようなシボ面を表面３０ａに設けることで、表面３０ａには特有の美観（視覚／触覚的なザラザラ感）が付与される。シボ面はこのような特有の美観を表面に付与するものであるが、反面、物理的損傷１１、特にアスペクト比が極端に大きい物理的損傷（長さに比して幅が極端に小さい鋭利な傷等）がその表面に付いてしまうと、その傷１１は非常に目立つという特徴がある。本変形例では、シボ面を有する表面３０ａに、シボ面に比して大きな凹凸４が形成されることになる。そのため、損傷１１が表面３０ａに付きにくくなる。その理由は、次の通りである。
【００５１】
本変形例において、損傷１１が生じる程度の衝撃が表面３０ａに加わったとしても、損傷１１は凹凸４の凸部４ｂ頂面付近にだけ生じ、それ以外の部位（凹部４ａ底面の外装面５０等）には生じなくなる。つまり、損傷１１は、表面３０ａのごく一部である凸部４ｂの頂面にだけ限定して生じることになる。このような理由により、本変形例では、損傷１１が表面３０ａに付きにくくなる。さらには、表面３０ａに損傷１１が生じたとしても、その損傷１１は、表面３０ａのごく一部である凸部４ｂの頂面（外装保護面６０）にだけ存在することになって目立たなくなる。なお、損傷１１の発生箇所を最小限にするためには、図６に示すように、凸状に湾曲してなる外装保護面６’を設けるのが最も好ましい。そうすれば、損傷１１は凸状に湾曲した外装保護面６’の頂部のみに生じることになってさらに目立たなくなる。なお、微少凹凸形状１０における凸部の高さは２０〜４０μｍとするのが最も好ましく、そうすれば、上述した効果が最も良好な状態で得られる。
【００５２】
次に、シボ面からなる外装面５０を有するパネル筐体３０において本発明を実施した変形例を図１０を参照して説明する。ここでいうシボ面は、前述したものと同じものである。シボ面を外装面５０に設けることで、外装面５０には、前述したような特有の美観（視覚／触覚的なザラザラ感）が付与されるものの、物理的損傷１１（特にアスペクト比が極端に大きい損傷）は非常に目立ってしまう。本変形例では、凹凸４の凸部４ｂ（外装保護面６０）によって外装面５０を保護するために、損傷１１が外装面５０にほとんど付かなくなる。すなわち、損傷１１が生じる程度の衝撃が表面３０ａに加わったとしても、損傷１１は凹凸４の凸部４ｂ頂面付近（外装保護面６０）にだけ生じ、外装面５０にまで損傷１１が至ることがなくなる。つまり、損傷１１は、表面３０ａのごく一部である凸部４ｂ頂面（外装保護面６０）にだけ限定して生じることになる。このような理由により、本変形例では、シボ面からなる外装面５０に損傷１１がほとんど付かなくなる。さらには、外装保護面６０に損傷１１が生じたとしても、その損傷１１は、表面のごく一部である外装保護面６０にだけ存在することになって目立たなくなる。なお、損傷１１の発生箇所を最小限にするためには、図６に示すように、凸状に湾曲してなる外装保護面６’を設けるのが最も好ましい。そうすれば、損傷１１は凸状に湾曲した外装保護面６’の頂部のみに生じることになってさらに目立たなくなる。
【００５３】
なお、上述した実施の形態では、樹脂成形品の一つであるパネル筐体３において本発明を実施した。本発明の実施対象はこのような樹脂成形品に限られるものではなく、この他、ガラス成形品や金属成形品においても同様に実施することができる。また、外装面５は光沢面に限るものではなく、通常のパネル筐体３の表面形状であればどのようなものであってもよい。さらに、外装保護面６が非光沢面に限定されるものでないこともいうまでもない。
【００５４】
上述した実施の形態では、本発明を薄型テレビジョン表示装置１のパネル筐体３において実施していたが、この他、図１１（ａ）、（ｂ）に示す各種家電品のリモートコントローラ装置１０の底面側パネル筐体３１や、図１２（ａ）、（ｂ）に示すコードレス電話機２０における底面側パネル筐体２１においても同様に本発明は実施可能である。また、図２に示す凹凸４のパターン形状は、本発明の実施の形態の一例であって、本発明はこのような形状の凹凸４に限定されないのはいうまでもない。
【産業上の利用可能性】
【００５５】
本発明は、家電品、住宅設備、車両、船舶等において外装体として用いられる物品であって、特に指紋がつきやすい外装面形状（光沢面等）を有する物品において有効に利用することができる。
【符号の説明】
【００５６】
１    薄型テレビジョン表示装置
２    表示装置本体
３    パネル筐体
３０  パネル筐体
３ａ  表面
３０ａ表面
４    凹凸
４ａ  凹部
４ｂ  凸部
５    外装面
５０  外装面
６    外装保護面
６’  外装保護面
６０  外装保護面
１０  微少凹凸形状
１１  損傷
ｈ    凸部高さ寸法
ｈmax   凸部最大高さ寸法
α    第１の方向
β    第２の方向
Ｐ１  形成ピッチ（第１の方向α）
Ｐ２  形成ピッチ（第２の方向β）
【図１】
2011178158.tif 000003
【図２】
2011178158.tif 000004
【図３】
2011178158.tif 000005
【図４】
2011178158.tif 000006
【図５】
2011178158.tif 000007
【図６】
2011178158.tif 000008
【図７】
2011178158.tif 000009
【図８】
2011178158.tif 000010
【図９】
2011178158.tif 000011
【図１０】
2011178158.tif 000012
【図１１】
2011178158.tif 000013
【図１２】
2011178158.tif 000014